(57)【要約】【課題】  締結部材を雌ネジ体で締付けたものが緩むことを防止するものとしての雌ネジ体は実用上及び発明考案はいろいろあるが、それらは緩み止めとして充分なものとは言えず個々の欠点を有している。それらを解決するため、締結部材を締付けた後は如何なる振動に対しても緩みを生じないネジのロック機構を提供することにある。【解決手段】  図１は締結部材Ｇに雄ネジ体Ａを通した雄ネジ体Ａに、一つはネジ部５を形成する外形部６の側壁にテ―パ８で凹部７を設けた雌ネジ体Ｘの凹７に向き合って締結される、もう一つのネジ部１５を形成する外形部１６の側壁をテーパ１８にした凸出部１７を分割させたスリット２０を設けた雌ネジ体Ｙとによって、雌ネジ体Ｘと雌ネジ体Ｙとを組み合わせて雄ネジ体Ａに通してネジのロック機構を構成する。【選択図】      図１
2008038947.tif 000002
【特許請求の範囲】
【請求項１】
締結部材を雄ネジ体と雌ネジ体で締付けることにおいて、一つの雌ネジ体はネジ部とそのネジ部を構成する外形部を有した外形部の一部の側壁を凸出部として複数割に分割したスリットを設けて、もう一つの雌ネジ体はネジ部と外形部の側壁をテーパによって形成する凹部を有した、前記二つの雌ネジ体を雄ネジ体に組み合わせて通して、この前記二つの雌ネジ体で締結部材を締付けることを特徴としたネジのロック機構。
【請求項２】
締結部材を雄ネジ体と雌ネジ体で締付けることにおいて、一つの雌ネジ体はネジ部とそのネジ部を構成する外形部を有した外形部の一部の側壁を凸出部として複数割に分割したスリットを設けたものと、もう一つはテーパによって形成する凹部を有したワッシャ体とを雄ネジ体に組み合わせて通して、前記雌ネジ体によって締結部材を締付けることを特徴としたネジのロック機構。
【請求項３】
特許請求範囲の請求項１乃至請求項２において、凸出部に溝を設けて前記凸出部がたわみ易くしたことを特徴とするネジのロック機構。
【発明の詳細な説明】
【技術分野】
【０００１】
この発明は雄ネジ体と雌ネジ体が噛み合っているものが振動や衝撃等を受けても締結状態から緩みを生じないはずのねじの緩み止めが、ひとりでに緩みを生じて雄ネジ体から雌ネジ体が抜け出すことを防止するものであって、その使用範囲として宇宙航空ロケットや新幹線などを含む電気、機械、建築、関連等の構造物に使用することのできるネジのロック機構に関するものである。
【背景技術】
【０００２】
従来において、雄ネジと雌ネジが噛み合って緩み防止手段が取入れられたものはいろいろあるが、その中でも本発明に近い技術として、下記特許文献１から６などがある。
【０００３】
特許文献１は雌ネジに取付けられた緩み止め防止板が雄ネジに弾性変形しながら付着して締付けられて入ってゆくために、最初から締付に大きなトルクを要しながら締付けるので締付け作業が困難になり、又、充分な緩み防止のストッパーとなる力には至らず緩み側にも容易に回るために強力な緩み防止とはならない、又、構造が複雑になり製造コストが高くなる欠点を有する。
【０００４】
又、特許文献２は締付面と取付部材の間の両者に硬質の部材を食い込ませることによる両者間の移動を規制し回り止めの作用を得るものであるが、食い込む硬質部材を支える部分が柔らかでなければならないので、硬質部材が倒れたりするので両者間に隙間が発生し易く、又、プラスチックやゴム等の軟質座金は経時変化等でボロボロになるのでそれらを含めると緩み止め防止としては欠点を有するものである。
【０００５】
特許文献３と４については雄ネジに取付部材とナット、又は、座金を通した後、その側面をもう一つのナットに突起部を設けた突起部をナット又は座金のネジ穴に押圧することで、突起部が雄ネジに巻き込まれる摩擦力で緩み止め効果を高める狙いを計ったものであるが、このものは突起部の特に外径方向の寸法に対しその中に入るナット又は座金の寸法が適度でないと入らなくなり、取付部材との間に隙間を生じてしまう。
【０００６】
又、ナット又は座金に食い込ませる突起部の外径方向の寸法を大きくするとナット又は座金に食い込みにくくなり、例えば、食い込んでも突起部が厚いと変形しにくくなる。逆に、突起部が薄いと回り防止となる摩擦力が発生しにくくなる欠点を有するものである。
【０００７】
それらの従来の背景技術にはそれぞれの欠点を有し緩み止め防止として充分な効果を発揮する技術とはいえないものであった。
【０００８】
特許文献５は本特許願出願人が既に出願しているもので従来の欠点を解決するために発明したものであるが、この欠点は雌ネジ体にロック棒を使用することで、構造が複雑になって生産性が悪くなる欠点を有している。
【０００９】
特許文献６は、この公知例の明細書で明らかのよぅに、この出願人は第１ナットの凸と第２ナットの凹との一部を偏心させて組み合わせることにより緩み止め効果を発揮する緩み止めダブルナットを発明しているが、このものはこの公知例で明らかにしているように、この偏心のダブルナットは嵌合した後に偏心嵌合部分に微小の隙間が存在する、そのためそれらを解決する手段として、偏心方向他側に樹脂或は軟質金属を被覆にすることで、その欠点を補い解決使用としたものであるが、その受ける応力に充分に対処できる充分な強度と構造を有するものではない。
【００１０】
又、この公知例でも明らかにしているように、締付け作用が雄ネジの径が熱膨張した時などでは一般に使用しているダブルナットの緩み止め効果より劣ることが発生するもので、樹脂或は軟質金属で補強しても充分とは云えない欠点を有するものである。
【００１１】
【特許文献１】特開昭５９−１３１０１６
【特許文献２】特開平８−１３５６４２
【特許文献３】特開平１１−３１５８２０
【特許文献４】特開２００３−２９４０２１
【特許文献５】特開２００５−２４９０８４
【特許文献６】特開平１１−６５１６
【発明の開示】
【発明が解決しようとする課題】
【００１２】
この発明は雄ネジ体に締結部材を通して締結部材を雌ネジ体で締付けたものが緩むことを防止するものとしての雌ネジ体は実用上及び発明考案はいろいろあるが、それらは緩み止めとして充分なものとは言えず個々の欠点を有している。
【００１３】
背景技術で説明したように、ネジのロック機構は緩み止めとして充分な緩み止めの機能を発揮するものはなく、何らかの欠点を有するものである。
【００１４】
従って、この発明の目的は背景技術のそれぞれの欠点を解決することができる確かな機能を発揮するネジのロック機構を提供することにある。
【課題を解決するための手段】
【００１５】
前記目的の第一の発明は、締結部材を雄ネジ体と雌ネジ体で締付けることにおいて、一つの雌ネジ体はネジ部とそのネジ部を構成する外形部を有した外形部の一部の側壁を凸出部として複数割に分割したスリットを設けて、もう一つの雌ネジ体はネジ部と外形部の側壁をテーパによって形成する凹部を有した、前記二つの雌ネジ体を雄ネジ体に組み合わせて通して、この二つの雌ネジ体で締結部材を締付けることを特徴としたネジのロック機構によって達成される。
【００１６】
前記目的の第二の発明は、締結部材を雄ネジ体と雌ネジ体で締付けることにおいて、一つの雌ネジ体はネジ部とそのネジ部を構成する外形部を有した外形部の一部の側壁を凸出部として複数割に分割したスリットを設けて、もう一つはテーパによって形成する凹部を有したワッシャ体とを雄ネジ体に組み合わせて通して、前記雌ネジ体によって締結部材を締付けることを特徴としたネジのロック機構によって達成される。
【００１７】
前記目的の第三の発明は、特許請求範囲の請求項１乃至請求項２において、凸出部に溝を設けて前記凸出部がたわみ易くしたことを特徴とするネジのロック機構によって達成される。
【発明の効果】
【００１８】
この発明は締結部材に雄ネジ体Ａを通して、二つの雌ネジ体で締付した雌ネジ体が緩みを生じないようにしたネジのロック機構の発明であって、締結部材に雄ネジ体Ａを通した雄ネジ体Ａに、一つはネジ部を形成する外形部の側壁をテ―パによって形成する凹部を設けた雌ネジ体Ｘと、その凹部に向き合って締結される、もう一つはネジ部を形成する外形部の側壁の凸出部を分割した複数個のスリットを設けた雌ネジ体Ｙとを組み合わせて雄ネジ体Ａに通して締結作用を発生させるものである。
【００１９】
このように雌ネジ体Ｘの凹部に雌ネジ体Ｙの凸出部をネジ込み入れと、雌ネジ体Ｘのネジ部と雌ネジ体Ｙのネジ部は一般のダブルナットの緩み止め効果と同じように作用して緩み止め効果を発揮するものであるが、ここで異なるのは凹部に凸出部が入り込むことによって、凸出部を分割した複数個のスリットを設けた雌ネジ体Ｙのネジ部が雌ネジ体Ｘの凹部によって加締めるように雄ネジ体Ａのネジ部に固着することで雌ネジ体Ｘと雌ネジ体Ｙのネジのロック機構が得られるものである。
【００２０】
雌ネジ体Ｘの凹部に雌ネジ体Ｙの凸出部をネジ込み入れる条件としては、いろいろな案件が考えられるが、雌ネジ体Ｘの凹部に雌ネジ体Ｙの凸出部をネジ込んでゆくと、凸出部が分割して複数個のスリットになっているので凸出部のネジ部が径方向の隙間分だけ曲がるようになるので、よって凸出部がたわみ変形する分と、ネジの噛み合い方向の間の隙間分とが締付しろとなるが、更に、最終的な締付けとして雌ネジ体Ｘの凹部で雌ネジ体Ｙの凸出部を締付ける分があり、これらを締付けることによって雌ネジ体Ｘと雌ネジ体Ｙとによって雄ネジ体Ａのネジ部に凸出部のネジ部が加締めるように固着することができる加締作用と二つの雌ネジ体Ｘと雌ネジ体Ｙによってダブルナットの締付効果によって強力なネジのロック機構を得ることができるものである。
【００２１】
次の発明は、締結部材に雄ネジ体Ａを通した雄ネジ体Ａに、一つは貫通穴を形成する外形部の側壁をテ―パによって形成する凹部を設けたワッシャ体Ｃの凹部に向き合って締結される、もう一つはネジ部を形成する外形部の側壁をテーパによって形成する凸出部を分割して複数個のスリットを設けた雌ネジ体Ｚとを組み合わせて雄ネジ体Ａに通して締結作用を発生させるものである。
【００２２】
ワッシャ体Ｃの凹部に雌ネジ体Ｚの凸出部をネジ込み入れる条件としては、いろいろな案件が考えられるが、ワッシャ体Ｃの凹部に雌ネジ体Ｚの凸出部をネジ込んでゆくと、凸出部が分割して複数個のスリットになっているので凸出部のネジ部が径方向の隙間分だけ曲がるようになるので、よって凸出部がたわみ変形する分と、ネジの噛み合い方向の間の隙間分とが締付しろとなるが、更に、最終的な締付けとしてワッシャ体Ｃの凹部で雌ネジ体Ｚの凸出部を締付ける分があり、これらを締付けることによってワッシャ体Ｃと雌ネジ体Ｚとによって雄ネジ体Ａのネジ部に凸出部のネジ部が加締めるように固着することができる加締作用の締付効果によって強力なネジのロック機構が得られるものである。
【００２３】
この発明の加締作用は雌ネジ体Ｙの凸出部を加締めるように加圧してたわみを生じさせるので、その加圧部の反力によって凸出部は他の凹部と強く圧接する力が働くので緩みを生じなくなる力が発生するものである。
【００２４】
従って、このネジのロック機構はネジ部に加わる加締作用とダブルナット作用の効果により熱作用などの環境条件の変化にも対応できる極めて有効な効果を発揮するものである。
【００２５】
この発明は装置のようなもので二つで締付部を構成している内、片方を装置の一部に始めから取入れた物に、他方の一つを組み入れても成り立つもので、一つはネジ部とそのネジ部を構成する外形部を有した外形部の一部の側壁を凸出部として複数割に分割したスリットを設けてあれば、これまでの発明で前記に述べてきたようなネジのロック機構が得られるものである。
【発明を実施するための最良の形態】
【００２６】
この発明は締結部材を雄ネジ体Ａを通して二つの雌ネジ体で締付したしたものが緩みを生じないようにしたネジのロック機構の発明である。
【００２７】
発明の第一は、締結部材に雄ネジ体Ａを通した雄ネジ体Ａに、一つはネジ部を形成する外形部の側壁にテ―パによって形成した凹部を設けた雌ネジ体Ｘの凹部に向き合って締結される、もう一つはネジ部を形成する外形部の側壁の凸出部を分割した複数個のスリットを設けた雌ネジ体Ｙとを組み合わせて雄ネジ体Ａに通して締結作用を発生させるものである。
【００２８】
締結は始めに雌ネジ体Ｘを回しながら締付けて締結部材を締付けるもので、この締結が終了後、この締結が緩まないように、雌ネジ体Ｘの凹部に雌ネジ体Ｙの凸出部をネジ込み入れることで締結が成り立つものである。
【００２９】
このように雌ネジ体Ｘの凹部に雌ネジ体Ｙの凸出部をネジ込み入れと、雌ネジ体Ｘのネジ部と雌ネジ体Ｙのネジ部は一般のダブルナットの緩み止め効果と同じように作用して緩み止め効果を発揮するものであるが、ここで異なるのは凹部に凸出部が入り込むことによって、凸出部を分割した複数個のスリットを設けた雌ネジ体Ｙの凸出部のネジ部を雌ネジ体Ｘの凹部によって加締めるように雄ネジ体Ａのネジ部に固着することで雌ネジ体Ｘと雌ネジ体Ｙのネジのロック機構となるものである。
【００３０】
雌ネジ体Ｘの凹部に雌ネジ体Ｙの凸出部をネジ込み入れる条件としては、いろいろな案件が考えられるが、雌ネジ体Ｘの凹部に雌ネジ体Ｙの凸出部をネジ込んでゆくと、凸出部が分割して複数個のスリットになっているので凸出部のネジ部が径方向の隙間分だけ曲がるようになるもので、よって凸出部がたわみ変形する分と、ネジの噛み合い方向の間の隙間分とが締付しろとなるが、更に、最終的な締付けとして雌ネジ体Ｘの凹部で雌ネジ体Ｙの凸出部を締付ける分があり、これらを締付けることによって雌ネジ体Ｘと雌ネジ体Ｙとによって雄ネジ体Ａのネジ部に凸出部のネジ部が加締めるように固着することができる加締作用とダブルナットの締付効果によって強力なネジのロック機構を得ることができる。
【００３１】
雌ネジ体Ｘと雌ネジ体Ｙの側壁の上部の隙間は全く無く締めて着止することもできるが、隙間を空けて設けることもできるものである。
【００３２】
従って、隙間を設けるか否かはそのときの条件による雌ネジ体Ｘと雌ネジ体Ｙの締付けをどのようにするかによってもネジのロック機構が得られるものである。
【００３３】
発明の第二は、締結部材に雄ネジ体Ａを通した雄ネジ体Ａに一つは貫通穴を形成する外形部の側壁をテ―パによって形成する凹部を設けたワッシャ体Ｃに、ワッシャ体Ｃの凹部に向き合って締結される、もう一つはネジ部を形成する外形部の側壁を凸出部とする凸出部を分割して複数個のスリットを設けた雌ネジ体Ｚを組み合わせて雄ネジ体Ａに通して締結作用を発生させるものである。
【００３４】
締結は始めに雌ネジ体Ｘを回しながら締付けて締結部材を締付けるもので、この締結が終了後、この締結が緩まないように、ワッシャ体Ｃの凹部に雌ネジ体Ｚの凸出部をネジ込み入れることで締結が成り立つものである。
【００３５】
凹部に凸出部が入り込むことによって、テーパによって形成する凸出部を分割した複数個のスリットを設けた雌ネジ体Ｚのネジ部をワッシャ体Ｃの凹部によって加締めるようになり雄ネジ体Ａのネジ部に固着させることで雌ネジ体Ｚのネジのロック機構が得られるものである。
【００３６】
ワッシャ体Ｃの凹部に雌ネジ体Ｚの凸出部をネジ込み入れる条件としては、いろいろな案件が考えられるが、ワッシャ体Ｃの凹部に雌ネジ体Ｚの凸出部をネジ込んでゆくと、凸出部が分割して複数個のスリットになっているので凸出部のネジ部が径方向の隙間分だけ曲がるようになるもので、よってたわみ変形する分と、ネジの噛み合い方向の間の隙間分とが締付しろとなるが、更に、最終的な締付けとしてワッシャ体Ｃの凹部で雌ネジ体Ｚの凸出部を締付ける分があり、これらを締付けることによってワッシャ体Ｃと雌ネジ体Ｚとによって雄ネジ体Ａのネジ部に凸出部のネジ部が加締めるように固着することができる加締作用の締付効果によって強力なネジのロック機構が得られるものである。
【００３７】
側壁の上部の隙間は全く無く締めて着止することもできるが、隙間を空けて設けることもできるものである。
【００３８】
従って、隙間を設けるか否かはそのときの条件による雌ネジ体Ｚとワッシャ体Ｃによってネジのロック機構が得られるものである。
【実施例】
【００３９】
本発明を図示に従って説明すると、図１は締結部材Ｇに雄ネジ体Ａを通した雄ネジ体Ａに、一つはネジ部５を形成する外形部６の側壁にテ―パ８で凹部７を設けた雌ネジ体Ｘの凹７に向き合って締結される、もう一つのネジ部１５を形成する外形部１６の側壁をテーパ１８にした凸出部１７を分割させたスリット２０を設けた雌ネジ体Ｙとによって、雌ネジ体Ｘと雌ネジ体Ｙとを組み合わせて雄ネジ体Ａに通してネジのロック機構を構成する。
【００４０】
締結は始めに雌ネジ体Ｘを回しながら締付けて締結部材を締付けるもので、この締結が終了後、この締結が緩まないように、雌ネジ体Ｘの凹部７に雌ネジ体Ｙの凸出部１７をネジ込み入れることで締結が成り立つものである。
【００４１】
このように雌ネジ体Ｘの凹部７に雌ネジ体Ｙの凸出部１７をネジ込み入れと、雌ネジ体Ｘのネジ部５と雌ネジ体Ｙのネジ部１５は一般のダブルナットの緩み止め効果と同じように作用して緩み止め効果を発揮するものであるが、ここで異なるのは凹部７に凸出部１７が入り込むことによって、テーパ１８によって形成する凸出部１７を分割するスリット２０で成る雌ネジ体Ｙのネジ部１５を雌ネジ体Ｘの凹部７によって加締めるように、雄ネジ体Ａのネジ部１９に固着させることで雌ネジ体Ｘと雌ネジ体Ｙのネジのロック機構を得るものである。
【００４２】
雌ネジ体Ｘの凹部７に雌ネジ体Ｙの凸出部１７をネジ込み入れる条件としては、いろいろな案件が考えられるが、雌ネジ体Ｘの凹部７に雌ネジ体Ｙの凸出部１７をネジ込んでゆくと、凸出部１７が分割したスリット２０になっているので凸出部のネジ部が径方向の隙間分だけたわみ変形する分と、ネジの噛み合い方向の間の隙間分とが締付しろとなるが、更に、最終的な締付けとして雌ネジ体Ｘの凹部で雌ネジ体Ｙの凸出部１７を締付ける分があり、これらを締付けることによって雌ネジ体Ｘと雌ネジ体Ｙとによって雄ネジ体Ａのネジ部１９に凸出部１７のネジ部１５が加締めるように固着することができる加締作用と二つの雌ネジ体Ｘと雌ネジ体Ｙによってダブルナットの締付効果を有した強力なネジのロック機構を得るものである。
【００４３】
雌ネジ体Ｘと雌ネジ体Ｙの側壁の上部の隙間３０は図２のように全く無く締めて着止することもできるが、隙間３０を空けて設けることもできるものである。
【００４４】
従って、隙間３０を設けるか否かはそのときの使用条件による雌ネジ体Ｘと雌ネジ体Ｙの締付けによってネジのロック機構となるものである。
【００４５】
図８は本発明の応用例その一であって、この応用例は図１とは雌ネジ体Ｙの形状が異なるもので、ネジ部４５の外形部４６の側壁に設ける凸出部４７を形成する周囲に溝４４を設けて、凸出部４７のネジ部４５が全体にたわみ易くして、雌ネジ体Ｘの凹部２７に雌ネジ体Ｙの凸出部４７をネジ込み入れる条件で雄ネジ体Ａのネジ部１９に凸出部４７のネジ部４５が強力に固着するようにするものである。
【００４６】
この例では凸出部４７の角４２に若干のテーパを設けてあるが、凸出部４７の角はテーパを設けなくもよく丸みを設けてあればよいものである。
【００４７】
図９は本発明の応用例その二であって、この応用例は雌ネジ体Ｘの凹部３７と雌ネジ体Ｙの凸出部５７のテーパ３８とテーパ５８とが全く同じか、若干異なるものを締付けても、この発明は成り立つことを示すものであって、凸出部５７のテーパ５８の部分を曲がり易くするために溝５４を設けたものである。
【００４８】
この例ではテーパ３８はネジ部３５まで設けたものを示すものである。
【００４９】
図１０は本発明の応用例その三であって、締結部材を締付けるのにこれまでとは逆に、雌ネジ体Ｙで締結部材を締付けておいて、雌ネジ体Ｙの凸出部を雌ネジ体Ｘの凹部で加締めるように雄ネジ体Ａのネジ部に固着させるもので、この変形例は雌ネジ体Ｙの凸出部を雌ネジ体Ｘで締付けるものである。
【００５０】
図１０は図１から図９で説明してきたものとは異なり、雌ネジ体Ｙは外形を丸型として工具取付部８３を設けて凸出部８７を六つのスリット２０によって分割したもので、このように分割する数を増すことにより、凸出部８７がたわみ易くなり雌ネジ体Ｘの凹部７７で締付けた時に雄ネジ体Ａのネジ部１９に加締めるように強力に固着し易くすることができるようにしたものである。
【００５１】
このように雌ネジ体Ｙを後から雌ネジ体Ｘで締付けても雌ネジ体Ｘは雌ネジ体Ｙの凸出部に加締めるように固着させることができるのでネジが緩む如何なる使用条件がひとりでに加わっても抜け出すことのないネジのロック機構を得られるものである。
【００５２】
図１３は本発明の応用例その四であって、締結部材に雄ネジ体Ａを通した雄ネジ体Ａに一つは貫通穴１０５を形成する外形部１０６をテ―パ１０８によって形成する凹部１０７を設けたワッシャ体Ｃの凹部１０７に向き合って締結される、もう一つはネジ部１１５を形成する外形部１１６の側壁を形成する凸出部１１７の角１１２にはテーパを設けなくてもよいが、凸出部１１７を分割させたスリット２０によって成る雌ネジ体Ｚを組み合わせて雄ネジ体Ａに通して締結作用を発生させるものである。
【００５３】
締結は始めに雌ネジ体Ｘを回しながら締付けて締結部材を締付けるもので、この締結が終了後緩まないように、ワッシャ体Ｃの凹部１０７に雌ネジ体Ｚの凸出部１１７をネジ込み入れることで締結が成り立つものである。
【００５４】
凹部１０７に凸出部１１７が入り込むことによって、角１１２によって形成する凸出部１１７を分割するスリット２０によってなる雌ネジ体Ｚのネジ部１１５がワッシャ体Ｃの凹部１０７によって加締めるように雄ネジ体Ａのネジ部１９に固着させることで雌ネジ体Ｚのネジのロック機構となるものである。
【００５５】
ワッシャ体Ｃの凹部１０７に雌ネジ体Ａの凸出部１１７をねじ込み入れる条件としては、いろいろな案件が考えられるが、ワッシャ体Ｃの凹部１０７に雌ネジ体Ｚの凸出部１１７をねじ込んでゆくと、凸出部１０７が分割して複数個のスリットになっているので、凸出部１１７のネジ部が径方向の隙間分だけ曲がるようになるので、よって凸出部がたわみ変形する分と、ネジの噛み合い方向の間の隙間分とが締付しろとなるが、更に、最終的な締付けとしてワッシャ体Ｃの凹部１０７で雌ネジ体Ｚの凸出部１１７を締付ける分があり、これらを締付けることによってワッシャ体Ｃと雌ネジ体Ｚとによって雄ネジＡのネジ部１０９に凸出部１１７のネジ部が加締めるように固着することができる加締作用の締付効果によって強力なネジのロック機構とすることができる。
【００５６】
側壁の上部の隙間５０は無く締めて着止することもできるが、隙間５０を空けて設けることもできるものである。
【００５７】
従って、隙間５０を設けるか否かはそのときの使用条件によるもので雌ネジ体Ｚとワッシャ体Ｃによってネジのロック機構となるものである。
【００５８】
この発明の加締作用は雌ネジ体Ｙの凸出部を加締めるように加圧してたわみを生じさせるので、その加圧部の反力によって凸出部は他の凹部と強く圧接する力が働くので緩みを生じなくなる力が発生するものである。
【００５９】
この発明は装置のようなもので二つで締付部を構成している内、片方を装置の一部に始めから取入れた物に、他方の一つを組み入れても成り立つもので、一つはネジ部とそのネジ部を構成する外形部を有した外形部の一部の側壁を凸出部として複数割に分割したスリットを設けてあれば、これまでの発明で前記に述べてきたようなネジのロック機構が得られるものである。
【００６０】
この発明でのネジのロック機構は主に鉄やステンレスなどの材質でなり、ネジ部に加わる加締作用とダブルナット作用の効果により熱作用などの環境条件の変化にも対応できる極めて有効な機能を発揮するものである。
【図面の簡単な説明】
【００６１】
【図１】本発明の雌ネジ体Ｘと雌ネジ体Ｙとで締結部材Ｇを締結する過程を示す縦断面図。
【図２】本発明の雌ネジ体Ｘと雌ネジ体Ｙとで締結部材Ｇを締結した状態を示す縦断面図。
【図３】図１の雌ネジ体Ｙの正面図。
【図４】図３の雌ネジ体Ｙの右側面図。
【図５】図３の雌ネジ体Ｙの左側面図。
【図６】図１の雌ネジ体Ｘの正面図。
【図７】図６の雌ネジ体Ｘの左側面図。
【図８】本発明の応用例その一を示す雌ネジ体Ｘと雌ネジ体Ｙとで締結部材Ｇを締結する過程を示す縦断面図。
【図９】本発明の応用例その二を示す雌ネジ体Ｘと雌ネジ体Ｙとで締結部材Ｇを締結する過程を示す縦断面図。
【図１０】本発明の応用例その三を示す雌ネジ体Ｘと雌ネジ体Ｙとで締結部材Ｇを締結する過程を示す縦断面図。
【図１１】図１０の雌ネジ体Ｙの左側面図。
【図１２】図１０の雌ネジ体Ｘの右側面図。
【図１３】本発明の応用例その四を示す雌ネジ体Ｙとワッシャ体Ｃで締結部材Ｇを締結する過程を示す縦断面図。
【図１４】図１３のワッシャ体Ｃの左側面図。
【符号の説明】
【００６２】
５．２５.３５．７５：ネジ部
６．２６.３６：外形部
７．２７.３７．７７：凹部
８．２８．３８：テ―パ
１５. ４５．５５．８５：ネジ部
１６.４６：外形部
１７．４７．５７.８７：凸出部
１８．５８：テ―パ
１９：ネジ部
２０：スリット
３０．４０．５０：隙間
４２．１０２：角
４４．５４：溝
１０５：貫通穴
１０６：外形部
１０７：凹部
１０８：テ―パ
１１５：ネジ部
１１６：外形部
１１７：凸出部
Ａ：雄ネジ体
Ｘ：雌ネジ体
Ｙ：雌ネジ体
Ｚ：雌ネジ体
Ｃ：ワッシャ体
Ｇ：締結部材
【図１】
2008038947.tif 000003
【図２】
2008038947.tif 000004
【図３】
2008038947.tif 000005
【図４】
2008038947.tif 000006
【図５】
2008038947.tif 000007
【図６】
2008038947.tif 000008
【図７】
2008038947.tif 000009
【図８】
2008038947.tif 000010
【図９】
2008038947.tif 000011
【図１０】
2008038947.tif 000012
【図１１】
2008038947.tif 000013
【図１２】
2008038947.tif 000014
【図１３】
2008038947.tif 000015
【図１４】
2008038947.tif 000016